(57)【要約】【課題】  画像内に画質補正処理に対し悪影響を及ぼす文字等の情報が混入していても、本来補正したいイメージ領域に最適な補正を行うことができる画質補正装置および画質補正方法を提供する。【解決手段】  カウント判断部１０３にて、輝度色差算出部１０１で算出した輝度値と色差値が、文字領域を構成する画素であるかどうかの判断を行い、文字領域を構成する画素以外の画素の輝度値のみを輝度ヒストグラム作成部１０４に出力する。そして、カウント判断部１０３から出力される輝度値を用いて輝度ヒストグラム作成部１０４が作成した輝度ヒストグラムに基づいて、補正量算出部１０５および画質補正部１０６が、入力画像データの画質補正を行う。【選択図】  図１
2005108208.tif 000002
【特許請求の範囲】
【請求項１】
入力された画像データ（以下、入力画像データと称す）に対し画質補正を行う際に画質劣化を招く画像データ（以下、劣化因子データと称す）が含まれる場合、前記入力画像データから当該劣化因子データを除去するデータ選別を行う画像データ選別部と、
該画像データ選別部より出力された画像データの輝度ヒストグラムを作成する輝度ヒストグラム作成部と、
該輝度ヒストグラム作成部により作成された輝度ヒストグラムに基づき補正量を算出する補正量算出部と、
該補正量算出部で算出された補正量に基づき前記入力画像データの補正を行う画質補正部とを備えた、
ことを特徴とする画質補正装置。
【請求項２】
請求項１に記載の画質補正装置において、
前記劣化因子データは前記入力画像データに含まれる文字領域を構成する画素データであり、
前記画像データ選別部は、
前記入力画像データから該入力画像データを構成する各画素データ毎の輝度値および色差値を算出する輝度色差算出部と、
文字領域を構成する画素の画素情報を記憶する指定画素情報記憶部と、
該指定画素情報記憶部に記憶されている画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力するカウント判断部とを有するものであり、
前記輝度ヒストグラム作成部は、該カウント判断部から出力された輝度値に基づき画像データの輝度ヒストグラムを作成する、
ことを特徴とする画質補正装置。
【請求項３】
請求項２に記載の画質補正装置において、
前記カウント判断部は、前記指定画素情報記憶部から得られる輝度値および色差値と、前記輝度色差算出部から出力される注目画素の輝度値および色差値とが一致する場合に、前記注目画素が文字領域を構成する画素であると判断する、
ことを特徴とする画質補正装置。
【請求項４】
請求項２に記載の画質補正装置において、
前記カウント判断部は、前記指定画素情報記憶部から得られる輝度値および色差値の値に一定の範囲を持たせ、
前記輝度色差算出部から出力される注目画素の輝度値および色差値が、前記一定の範囲を持った輝度値および色差値の範囲内に入る場合に、前記注目画素が文字領域を構成する画素であると判断する、
ことを特徴とする画質補正装置。
【請求項５】
請求項２に記載の画質補正装置において、
前記指定画素情報記憶部は、文字領域を構成する画素の画素情報を複数記憶している、
ことを特徴とする画質補正装置。
【請求項６】
請求項２に記載の画質補正装置において、
前記カウント判断部から出力される輝度値を有する画素の画素数をカウントするとともに、
入力画像データの総画素数に対する前記カウントされた画素数の割合が所定の閾値以下であるか否かを判断し、カウントされた画素数の割合が所定の閾値以下である場合には、かかる画像に対する画質補正を行わないようにする総頻度判断部をさらに備えた、
ことを特徴とする画質補正装置。
【請求項７】
請求項１に記載の画質補正装置において、
前記劣化因子データは前記入力画像データに含まれる文字領域を構成する画素データであり、
前記画像データ選別部は、
前記入力画像データから各画素毎の輝度値および色差値を算出する輝度色差算出部と、
前記入力画像データの全画素を用いて作成された輝度ヒストグラムから、局所的に突出した階調を検出する突出階調検出部と、
該突出階調検出部において検出した、突出した階調の輝度値を持つ画素の色差値から、色差値の頻度が所定の閾値以上である色差値を検出し、該検出した色差値と前記突出した階調の輝度値とを文字領域を構成する画素の画素情報として設定する画素情報設定部と、
該画素情報設定部で設定された画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力するカウント判断部とを有し、
前記輝度ヒストグラム作成部は前記入力画像データの全画素の輝度値、および前記カウント判断部から出力される画素の輝度値をそれぞれ用いて輝度ヒストグラムを作成し、
前記補正量算出部は前記カウント判断部から出力される画素の輝度値を用いて作成した輝度ヒストグラムに基づき補正量を算出する、
ことを特徴とする画質補正装置。
【請求項８】
請求項７に記載の画質補正装置において、
前記カウント判断部は、前記画素情報から得られる輝度値および色差値と前記輝度色差算出部から出力される注目画素の輝度値および色差値とが一致する場合に、前記注目画素が文字領域を構成する画素であると判断するものである、
ことを特徴とする画質補正装置。
【請求項９】
請求項７に記載の画質補正装置において、
前記画素情報設定部は、前記突出階調検出部において検出された突出した階調の輝度値を持つ画素の色差値から、色差値の分布と頻度を表わす色差ヒストグラム平面を作成する色差ヒストグラム平面作成部と、
前記色差ヒストグラム平面から色差値の頻度が所定の閾値以上である色差値を検出する色差値検出部と、
前記突出した階調の輝度値と前記色差値検出部で検出した色差値とを文字領域を構成する画素の画素情報として設定する設定部とからなる、
ことを特徴とする画質補正装置。
【請求項１０】
請求項９に記載の画質補正装置において、
前記色差値検出部は、前記色差ヒストグラム平面を所定の間隔で分割し、該分割した領域内の色差値の頻度から算出した代表値が所定の閾値以上であるか否かを判断して、所定の閾値以上の代表値を有する前記分割した領域内の色差値を検出する、
ことを特徴とする画質補正装置。
【請求項１１】
請求項９に記載の画質補正装置において、
前記色差値検出部は、色差値の頻度が所定の閾値以上である色差値が前記色差ヒストグラム平面上で繋がった領域を形成する際に、
当該色差ヒストグラム平面上における繋がった領域の面積の、色差値の全分布面積に対する割合が所定の閾値以上であるか否かをさらに判断し、
前記繋がった領域の面積の割合が所定の閾値以上である場合には、当該領域内の色差値を文字領域を構成する画素の色差値として検出しない、
ことを特徴とする画質補正装置。
【請求項１２】
請求項９に記載の画質補正装置において、
前記設定部は、前記突出した階調の輝度値或いは前記色差値検出部で検出した色差値が、輝度値および色差値の各々に対して設けられた所定の基準値から一定の閾値以上離れているか否かをさらに判断し、
前記輝度値或いは前記色差値の何れか一方が、前記所定の基準値から一定以上離れている場合にのみ、当該輝度値と色差値を文字領域を構成する画素の画素情報として設定する、
ことを特徴とする画質補正装置。
【請求項１３】
請求項７に記載の画質補正装置において、
文字領域を構成する画素の画素情報を記憶する指定画素情報記憶部をさらに備え、
前記カウント判断部が、前記画素情報設定部で設定された画素情報から得られる輝度値および色差値、および前記指定画素情報記憶部に記憶されている画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力する、
ことを特徴とする画質補正装置。
【請求項１４】
請求項７に記載の画質補正装置において、
前記カウント判断部から出力される輝度値を有する画素の画素数をカウントするとともに、
入力画像データの総画素数に対する前記カウントされた画素数の割合が所定の閾値以下であるか否かを判断し、カウントされた画素数の割合が所定の閾値以下である場合には、かかる画像に対する画質補正を行わないようにする総頻度判断部をさらに備えた、
ことを特徴とする画質補正装置。
【請求項１５】
入力画像データに対し画質補正を行う際に画質劣化を招く劣化因子データが含まれる場合、前記入力画像データから当該劣化因子データを除去するデータ選別を行う画像データ選別工程と、
該画像データ選別工程より選別された画像データの輝度ヒストグラムを作成する輝度ヒストグラム作成工程と、
該輝度ヒストグラム作成工程により作成された輝度ヒストグラムに基づき補正量を算出する補正量算出工程と、
該補正量算出工程で算出された補正量に基づき前記入力画像データの補正を行う画質補正工程とを含む、
ことを特徴とする画質補正方法。
【請求項１６】
請求項１５に記載の画質補正方法において、
前記劣化因子データは前記入力画像データに含まれる文字領域を構成する画素データであり、
前記画像データ選別工程は、
前記入力画像データから該入力画像データを構成する各画素データ毎の輝度値および色差値を算出する輝度色差算出工程と、
文字領域を構成する画素の画素情報を記憶する指定画素情報記憶部に記憶されている画素情報から得られる輝度値および色差値に基づいて、前記輝度色差算出工程から出力された輝度値および色差値を有する注目画素が文字領域を構成する画素であるか否かを判断し、当該注目画素が文字領域を構成する画素でない場合にのみ、該注目画素の輝度値を出力するカウント判断工程とを含み、
前記輝度ヒストグラム作成工程は、該カウント判断工程から出力された輝度値に基づき画像データの輝度ヒストグラムを作成する、
ことを特徴とする画質補正方法。
【請求項１７】
請求項１５に記載の画質補正方法において、
前記劣化因子データは前記入力画像データに含まれる文字領域を構成する画素データであり、
前記画像データ選別工程は、
前記入力画像データから各画素毎の輝度値および色差値を算出する輝度色差算出工程と、
前記入力画像データの全画素を用いて作成された輝度ヒストグラムから、局所的に突出した階調を検出する突出階調検出工程と、
該突出階調検出工程において検出した、突出した階調の輝度値を持つ画素の色差値から、色差値の頻度が所定の閾値以上である色差値を検出し、該検出した色差値と前記突出した階調の輝度値とを文字領域を構成する画素の画素情報として設定する画素情報設定工程と、
該画素情報設定工程で設定された画素情報から得られる輝度値および色差値に基づいて、前記輝度色差算出工程から出力された輝度値および色差値を有する注目画素が文字領域を構成する画素であるか否かを判断し、当該注目画素が文字領域を構成する画素でない場合にのみ、該注目画素の輝度値を出力するカウント判断工程とを含み、
前記輝度ヒストグラム作成工程は前記入力画像データの全画素の輝度値、および前記カウント判断工程から出力される画素の輝度値をそれぞれ用いて輝度ヒストグラムを作成し、
前記補正量算出工程は前記カウント判断工程から出力される画素の輝度値を用いて作成した輝度ヒストグラムに基づき補正量を算出する、
ことを特徴とする画質補正方法。
【発明の詳細な説明】
【技術分野】
【０００１】
本発明は、画質補正装置および画質補正方法に関し、特に、デジタル画像処理装置において、入力画像の階調を自動的に補正する画像補正装置および画像補正方法の改良に関するものである。
【背景技術】
【０００２】
従来、画像を補正するための技術として、例えば、特許文献１に開示されている方法が一般的によく知られている。この方法は、入力画像の各画素の輝度値を算出し、同じ輝度値を持つ画素の総和を示す輝度ヒストグラムを作成し、作成した輝度ヒストグラムの形状が最適になるような補正処理を全画素に対し行うものである。
【０００３】
この特許文献１に開示された従来例を、図１５を用いて説明する。
図１５は従来例における画質補正装置のブロック図である。
【０００４】
図１５に示すように、従来の画質補正回路は、撮像素子１４０１と、Ａ／Ｄコンバータ１４０２と、輝度信号算出回路１４０３と、輝度ヒストグラム作成回路（輝度分布作成回路）１４０４と、補正量算出回路１４０５と、画質補正回路（画像信号補正回路）１４０６とからなる。また、この従来の画質補正装置では、補正量算出回路１４０５は、重心算出回路１４０７と、分布範囲算出回路１４０８と、目標値記憶回路１４０９と、補正テーブル作成回路１４１０とからなる。
【０００５】
輝度信号算出回路１４０３は、Ａ／Ｄコンバータ１４０２から出力される画像データの輝度値を算出するものであり、輝度ヒストグラム作成回路１４０４は、輝度信号算出回路１４０３で算出された輝度値を用いて入力画像の輝度ヒストグラムを作成する。
【０００６】
また、重心算出回路１４０７は、輝度ヒストグラム作成回路１４０４が作成した輝度ヒストグラムから低輝度部の重心位置を算出するものであり、分布範囲算出回路１４０８は、輝度ヒストグラム作成回路１４０４が作成した輝度ヒストグラムから入力輝度レベル軸上の最大値，最小値を算出する。
【０００７】
目標値記憶回路１４０９は、輝度補正目標値を記憶しており、補正テーブル作成回路１４１０は、重心算出回路１４０７で算出された重心位置と分布範囲算出回路１４０８で算出された入力輝度レベル軸上の最大値，最小値とに基づいて、輝度分布を拡大すると同時に重心位置が目標値記憶回路１４０９に記憶されている輝度補正目標値と一致するような補正テーブルを作成する。
画質補正回路１４０６は、補正テーブル作成回路１４１０が作成した補正テーブルを元に階調補正を行う。
【０００８】
次に、従来の画像補正回路の動作について説明する。
撮像素子１４０１から出力された画像信号はＡ／Ｄコンバータ１４０２により画像データに変換され、輝度信号算出回路１４０３および画質補正回路１４０６に出力される。
【０００９】
Ａ／Ｄコンバータ１４０２から出力された画像データは、輝度信号算出回路１４０３に入力され、画像データを構成する各画素毎の輝度値が算出された後、輝度ヒストグラム作成回路１４０４によって輝度ヒストグラムが作成される。
【００１０】
作成された輝度ヒストグラムは、重心算出回路１４０７および分布範囲算出回路１４０８に出力され、作成された入力画像の輝度ヒストグラムに基づいて、重心算出回路１４０７が低輝度部の重心位置を算出するとともに、分布範囲算出回路１４０８が入力輝度レベル軸上の最大値，最小値を算出する。
【００１１】
そして、重心算出回路１４０７で算出された低輝度部の重心位置、および分布範囲算出回路１４０８で算出された入力輝度レベル軸上の最大値，最小値は、補正テーブル作成回路１４１０に入力され、輝度分布が拡大すると同時に重心位置が目標値記憶回路１４０９に記憶されている輝度補正目標値と一致するような補正テーブルが作成される。
【００１２】
そして、Ａ／Ｄコンバータ１４０２から出力された画像データおよび補正テーブル作成回路１４１０から出力された補正テーブルは画質補正回路１４０６に入力され、入力された補正テーブルを元に画像データの階調補正が行われ、入力画像に対し最良な階調補正が自動的に行われることとなる。
【特許文献１】特開２００２−１７２４２３号公報（第１４頁−第１６頁  図１−図４）
【発明の開示】
【発明が解決しようとする課題】
【００１３】
しかしながら、前記従来の構成では、映画の字幕のように入力画像に文字領域が存在する場合には、当該文字領域を除いたイメージ領域のみの画像データに対して補正を行いたいにも関わらず、輝度ヒストグラム作成時において文字の輝度値までカウントしてしまう。そのため、入力画像内のイメージ領域のみの輝度ヒストグラムを作成することができず、正確な補正量を算出することができないため、作成入力画像に対する最良な補正が行えないという課題を有していた。
【００１４】
また、ＤＶＤ再生機器のように字幕の有無を選択できる装置においては、字幕の有無により輝度ヒストグラムの形状が変化するため、同じシーンでも字幕の有無で画質の差が発生してしまうという課題を有していた。
【００１５】
さらに、画像内に含まれる文字領域は、文字を見やすくするためにイメージ領域とは大きく違う輝度値を設定していることが多く、これが輝度ヒストグラムに極端な形状として現れることから輝度ヒストグラムを元に補正量を算出した場合には、画質補正を行う際に誤った補正を行ってしまい、補正による画質劣化を起こすという課題を有していた。
【００１６】
本発明は、前記従来の課題を解決するためになされたものであり、入力画像内に文字領域等が存在する場合であっても最適な補正を行い、画像内に含まれる文字領域等による影響を受けない画質補正装置および画質補正方法を提供することを目的とする。
【課題を解決するための手段】
【００１７】
前記従来の課題を解決するために、本発明の請求項１に記載の画質補正装置は、入力された画像データ（以下、入力画像データと称す）に対し、画質補正を行う際に画質劣化を招く画像データ（以下、劣化因子データと称す）が含まれる場合、前記入力画像データから当該劣化因子データを除去するデータ選別を行う画像データ選別部と、該画像データ選別部より出力された画像データの輝度ヒストグラムを作成する輝度ヒストグラム作成部と、該輝度ヒストグラム作成部により作成された輝度ヒストグラムに基づき補正量を算出する補正量算出部と、該補正量算出部で算出された補正量に基づき前記入力画像データの補正を行う画質補正部とを備えたことを特徴とするものである。
【００１８】
これにより、入力画像データ内に画質補正処理に対し悪影響を及ぼす劣化因子データが混入している場合であっても、当該劣化因子データによる影響を受けずに入力画像データに対して最適な補正を行った補正画像を得ることが可能となる。
【００１９】
また、本発明の請求項２に記載の画質補正装置は、請求項１に記載の画質補正装置において、前記劣化因子データは前記入力画像データに含まれる文字領域を構成する画素データであり、前記画像データ選別部は、前記入力画像データから該入力画像データを構成する各画素データ毎の輝度値および色差値を算出する輝度色差算出部と、文字領域を構成する画素の画素情報を記憶する指定画素情報記憶部と、該指定画素情報記憶部に記憶されている画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力するカウント判断部とを有するものであり、前記輝度ヒストグラム作成部は、該カウント判断部から出力された輝度値に基づき画像データの輝度ヒストグラムを作成することを特徴とするものである。
【００２０】
これにより、入力画像データ内に画質補正処理に対し悪影響を及ぼす文字領域の情報が混入している場合であっても、当該文字領域の情報による影響を受けずに入力画像データに対して最適な補正を行った補正画像を得ることが可能となる。
【００２１】
また、本発明の請求項３に記載の画質補正装置は、請求項２に記載の画質補正装置において、前記カウント判断部は、前記指定画素情報記憶部から得られる輝度値および色差値と、前記輝度色差算出部から出力される注目画素の輝度値および色差値とが一致する場合に、前記注目画素が文字領域を構成する画素であると判断することを特徴とするものである。
【００２２】
これにより、入力画像データ内に画質補正処理に対し悪影響を及ぼす文字領域の情報が混入している場合であっても、当該文字領域の情報による影響を受けずに入力画像に対して最適な補正を行った補正画像を得ることが可能となる。
【００２３】
また、本発明の請求項４に記載の画質補正装置は、請求項２に記載の画質補正装置において、前記カウント判断部は、前記指定画素情報記憶部から得られる輝度値および色差値の値に一定の範囲を持たせ、前記輝度色差算出部から出力される注目画素の輝度値および色差値が、前記一定の範囲を持った輝度値および色差値の範囲内に入る場合に、前記注目画素が文字領域を構成する画素であると判断することを特徴とするものである。
【００２４】
これにより、画像がぼやけている場合や、画像圧縮等により色が滲んでいるような場合でも、柔軟に文字領域の輝度値を輝度ヒストグラムから排除することが可能となる。
【００２５】
また、本発明の請求項５に記載の画質補正装置は、請求項２に記載の画質補正装置において、前記指定画素情報記憶部は、文字領域を構成する画素の画素情報を複数記憶していることを特徴とするものである。
【００２６】
これにより、入力画像中に複数の輝度値および色差値を有する文字領域が存在する場合であっても、当該複数の文字領域を判別することが可能となり、また、予め頻繁に使用される複数の画像情報を記憶しておくことにより、入力画像毎に画像情報の更新を行うことなく、画像情報の再設定を行う手間を省くことができる。
【００２７】
また、本発明の請求項６に記載の画質補正装置は、請求項２に記載の画質補正装置において、前記カウント判断部から出力される輝度値を有する画素の画素数をカウントするとともに、入力画像データの総画素数に対する前記カウントされた画素数の割合が所定の閾値以下であるか否かを判断し、カウントされた画素数の割合が所定の閾値以下である場合には、かかる画像に対する画質補正を行わないようにする総頻度判断部をさらに備えたことを特徴とするものである。
【００２８】
これにより、数色しか使用されていないイラスト等の画質補正を必要としない入力画像に対して画質補正を行わないようにすることが可能になる。
【００２９】
また、本発明の請求項７に記載の画質補正装置は、請求項１に記載の画質補正装置において、前記劣化因子データは前記入力画像データに含まれる文字領域を構成する画素データであり、前記画像データ選別部は、前記入力画像データから各画素毎の輝度値および色差値を算出する輝度色差算出部と、前記入力画像データの全画素を用いて作成された輝度ヒストグラムから、局所的に突出した階調を検出する突出階調検出部と、該突出階調検出部において検出した、突出した階調の輝度値を持つ画素の色差値から、色差値の頻度が所定の閾値以上である色差値を検出し、該検出した色差値と前記突出した階調の輝度値とを文字領域を構成する画素の画素情報として設定する画素情報設定部と、該画素情報設定部で設定された画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力するカウント判断部とを有し、前記輝度ヒストグラム作成部は前記入力画像データの全画素の輝度値、および前記カウント判断部から出力される画素の輝度値をそれぞれ用いて輝度ヒストグラムを作成し、前記補正量算出部は前記カウント判断部から出力される画素の輝度値を用いて作成した輝度ヒストグラムに基づき補正量を算出することを特徴とするものである。
【００３０】
これにより、画像データ内に混入した文字領域を構成する画素を自動的に特定することができるとともに、入力画像データ内に画質補正処理に対し悪影響を及ぼす文字領域の情報が混入している場合であっても、当該文字領域の情報による影響を受けずに入力画像データに対して最適な補正を行った補正画像データを得ることが可能となる。
【００３１】
また、本発明の請求項８に記載の画質補正装置は、請求項７に記載の画質補正装置において、前記カウント判断部は、前記画素情報から得られる輝度値および色差値と前記輝度色差算出部から出力される注目画素の輝度値および色差値とが一致する場合に、前記注目画素が文字領域を構成する画素であると判断するものであることを特徴とするものである。
【００３２】
これにより、入力画像データ内に画質補正処理に対し悪影響を及ぼす文字領域の情報が混入している場合であっても、当該文字領域の情報による影響を受けずに入力画像データに対して最適な補正を行った補正画像データを得ることが可能となる。
【００３３】
また、本発明の請求項９に記載の画質補正装置は、請求項７に記載の画質補正装置において、前記画素情報設定部は、前記突出階調検出部において検出された突出した階調の輝度値を持つ画素の色差値から、色差値の分布と頻度を表わす色差ヒストグラム平面を作成する色差ヒストグラム平面作成部と、前記色差ヒストグラム平面から色差値の頻度が所定の閾値以上である色差値を検出する色差値検出部と、前記突出した階調の輝度値と前記色差値検出部で検出した色差値とを文字領域を構成する画素の画素情報として設定する設定部とからなることを特徴とするものである。
【００３４】
これにより、画像データ内に混入した文字領域を構成する画素を自動的に設定することができる。
【００３５】
また、本発明の請求項１０に記載の画質補正装置は、請求項９に記載の画質補正装置において、前記色差値検出部は、前記色差ヒストグラム平面を所定の間隔で分割し、該分割した領域内の色差値の頻度から算出した代表値が所定の閾値以上であるか否かを判断して、所定の閾値以上の代表値を有する前記分割した領域内の色差値を検出することを特徴とするものである。
【００３６】
これにより、画像がぼやけたり圧縮などにより色が滲んでいても、柔軟に文字領域の色差値を算出することが可能となる。
【００３７】
また、本発明の請求項１１に記載の画質補正装置は、請求項９に記載の画質補正装置において、前記色差値検出部は、色差値の頻度が所定の閾値以上である色差値が前記色差ヒストグラム平面上で繋がった領域を形成する際に、当該色差ヒストグラム平面上における繋がった領域の面積の、色差値の全分布面積に対する割合が所定の閾値以上であるか否かをさらに判断し、前記繋がった領域の面積の割合が所定の閾値以上である場合には、当該領域内の色差値を文字領域を構成する画素の色差値として検出しないことを特徴とするものである。
【００３８】
これにより、空のような単一色でグラデーションがかかっている映像等を文字領域を構成する画素と誤って検出することを防止することができる。
【００３９】
また、本発明の請求項１２に記載の画質補正装置は、請求項９に記載の画質補正装置において、前記設定部は、前記突出した階調の輝度値或いは前記色差値検出部で検出した色差値が、輝度値および色差値の各々に対して設けられた所定の基準値から一定の閾値以上離れているか否かをさらに判断し、前記輝度値或いは前記色差値の何れか一方が、前記所定の基準値から一定以上離れている場合にのみ、当該輝度値と色差値を文字領域を構成する画素の画素情報として設定することを特徴とするものである。
【００４０】
これにより、文字領域を構成しない画素を誤って検出することを防止でき、画素情報設定部における文字領域を構成する画素の設定精度を向上させることができる。
【００４１】
また、本発明の請求項１３に記載の画質補正装置は、請求項７に記載の画質補正装置において、文字領域を構成する画素の画素情報を記憶する指定画素情報記憶部をさらに備え、前記カウント判断部が、前記画素情報設定部で設定された画素情報から得られる輝度値および色差値、および前記指定画素情報記憶部に記憶されている画素情報から得られる輝度値および色差値に基づいて、前記輝度色差算出部から出力された輝度値および色差値を有する注目画素が文字領域を構成する画素であるか否かを判断し、当該注目画素が文字領域を構成する画素でない場合にのみ、該注目画素の輝度値を出力することを特徴とするものである。
【００４２】
これにより、少なくとも予め文字領域を構成する画素とわかっている画素については、前記カウント判断部により文字領域を構成する画素であるとの判断が行われるため、前記画素情報設定部における文字領域を構成する画素の設定漏れに起因する、画質補正精度の低下を防ぐことができる。
【００４３】
また、本発明の請求項１４に記載の画質補正装置は、請求項７に記載の画質補正装置において、前記カウント判断部から出力される輝度値を有する画素の画素数をカウントするとともに、入力画像データの総画素数に対する前記カウントされた画素数の割合が所定の閾値以下であるか否かを判断し、カウントされた画素数の割合が所定の閾値以下である場合には、かかる画像に対する画質補正を行わないようにする総頻度判断部をさらに備えたことを特徴とするものである。
【００４４】
これにより、数色しか使用されていないイラスト等の画質補正を必要としない入力画像に対して画質補正を行わないようにすることが可能になる。
【００４５】
また、本発明の請求項１５に記載の画質補正方法は、入力画像データに対し画質補正を行う際に画質劣化を招く劣化因子データが含まれる場合、前記入力画像データから当該劣化因子データを除去するデータ選別を行う画像データ選別工程と、該画像データ選別工程より得られた画像データの輝度ヒストグラムを作成する輝度ヒストグラム作成工程と、該輝度ヒストグラム作成工程により作成された輝度ヒストグラムに基づき補正量を算出する補正量算出工程と、該補正量算出工程で算出された補正量に基づき前記入力画像データの補正を行う画質補正工程とを含むことを特徴とするものである。
【００４６】
これにより、入力画像データ内に画質補正処理に対し悪影響を及ぼす劣化因子データが混入している場合であっても、当該劣化因子データによる影響を受けずに入力画像データに対して最適な補正を行った補正画像を得ることが可能となる。
【００４７】
また、本発明の請求項１６に記載の画質補正方法は、請求項１５に記載の画質補正方法において、前記劣化因子データは前記入力画像データに含まれる文字領域を構成する画素データであり、前記画像データ選別工程は、前記入力画像データから該入力画像データを構成する各画素データ毎の輝度値と色差値を算出する輝度色差算出工程と、文字領域を構成する画素の画素情報を記憶する指定画素情報記憶部に記憶されている画素情報から得られる輝度値および色差値に基づいて、前記輝度色差算出工程から出力された輝度値および色差値を有する注目画素が文字領域を構成する画素であるか否かを判断し、当該注目画素が文字領域を構成する画素でない場合にのみ、該注目画素の輝度値を出力するカウント判断工程とを含み、前記輝度ヒストグラム作成工程は、該カウント判断工程から出力された輝度値に基づき画像データの輝度ヒストグラムを作成することを特徴とするものである。
【００４８】
これにより、入力画像データ内に画質補正処理に対し悪影響を及ぼす文字領域の情報が混入している場合であっても、当該文字領域の情報による影響を受けずに入力画像データに対して最適な補正を行った補正画像を得ることが可能となる。
【００４９】
また、本発明の請求項１７に記載の画質補正方法は、請求項１５に記載の画質補正方法において、前記劣化因子データは前記入力画像データに含まれる文字領域を構成する画素データであり、前記画像データ選別工程は、前記入力画像データから各画素毎の輝度値および色差値を算出する輝度色差算出工程と、前記入力画像データの全画素を用いて作成された輝度ヒストグラムから、局所的に突出した階調を検出する突出階調検出工程と、該突出階調検出工程において検出した、突出した階調の輝度値を持つ画素の色差値から、色差値の頻度が所定の閾値以上である色差値を検出し、該検出した色差値と前記突出した階調の輝度値とを文字領域を構成する画素の画素情報として設定する画素情報設定工程と、該画素情報設定工程で設定された画素情報から得られる輝度値および色差値に基づいて、前記輝度色差算出工程から出力された輝度値および色差値を有する注目画素が文字領域を構成する画素であるか否かを判断し、当該注目画素が文字領域を構成する画素でない場合にのみ、該注目画素の輝度値を出力するカウント判断工程とを含み、前記輝度ヒストグラム作成工程は前記入力画像データの全画素の輝度値、および前記カウント判断工程から出力される画素の輝度値をそれぞれ用いて輝度ヒストグラムを作成し、前記補正量算出工程は前記カウント判断工程から出力される画素の輝度値を用いて作成した輝度ヒストグラムに基づき補正量を算出することを特徴とするものである。
【００５０】
これにより、画像データ内に混入した文字領域を構成する画素を自動的に特定することができるとともに、入力画像データ内に画質補正処理に対し悪影響を及ぼす文字領域の情報が混入している場合であっても、当該文字領域の情報による影響を受けずに入力画像データに対して最適な補正を行った補正画像データを得ることが可能となる。
【発明の効果】
【００５１】
本発明の画質補正装置および画質補正方法によれば、入力された画像データから、画質補正により悪影響を生じる劣化因子データを予め除去したうえで画質補正を行うことにより、画像データ内に混入した劣化因子データによる悪影響を受けない画質補正を行うことが可能となる。
【００５２】
本発明の画質補正装置および画質補正方法によれば、入力された画像データから、ヒストグラムを用いた画質補正により悪影響を生じる画像データを予め除去したうえで画質補正を行うことにより、画像内に混入した文字等による悪影響を受けない画質補正を行うことが可能となる。
【００５３】
また、本発明の画質補正装置および画質補正方法によれば、入力された画像データから、文字領域を除いたイメージ領域のみの輝度ヒストグラムを作成し、当該輝度ヒストグラムを用いて画質補正処理を行うことにより、画像内に混入した文字等による悪影響を受けない画質補正を行うことが可能となる。
【００５４】
また、本発明の画質補正装置および画質補正方法によれば、入力画像データから輝度ヒストグラムを作成し、作成した輝度ヒストグラムに突出した階調がある場合には、当該検出した階調を持つ輝度値から、文字領域を構成する画素として判断する輝度値および色差値を求めることにより、画像内に混入した文字領域を構成する画素を自動的に特定することが可能となる。
【００５５】
また、本発明の画質補正装置によれば、画素情報設定部の色差値検出部が、色差ヒストグラム平面作成部で作成された色差ヒストグラム平面を所定の間隔で分割し、該分割した領域内の色差値の頻度から算出する代表値が所定の閾値以上であるか否かを判断して、所定の閾値以上の代表値を有する前記分割した領域内の色差値を検出することにより、画像がぼやけたり圧縮で色が滲んでいても、柔軟に文字領域の色差値を算出することが可能となる。
【００５６】
また、本発明の画質補正装置によれば、画素情報設定部の色差値検出部が、当該色差ヒス+トグラム平面上の繋がった領域の面積の割合が所定の閾値以上であるか否かを判断し、前記繋がった領域の面積の割合が所定の閾値以上である場合には、当該領域内の色差値を文字領域を構成する画素の色差値として検出しないようにしたことにより、空のような単一色でグラデーションがかかっている映像等を文字領域を構成する画素と誤って検出することを防止することができる。
【００５７】
また、本発明の画質補正装置によれば、画素情報設定部の設定部が、注目画素の輝度値および色差値の何れか一方が、輝度値および色差値に対する所定の基準値から一定以上離れているか否かを判断し、前記輝度値或いは色差値の何れか一方が、所定の基準値から一定以上離れている場合にのみ、当該輝度値と色差値を文字領域を構成する画素の画素情報として設定することにより、文字領域を構成しない画素を誤って検出することを防止でき、画素情報設定部における文字領域を構成する画素の設定精度を向上させることができる。
【００５８】
また、本発明の画質補正装置によれば、総頻度判断部が、前記カウント判断部から出力される輝度値を有する画素の画素数をカウントするとともに、入力画像データの総画素数に対して前記カウントされた画素数の割合が所定の閾値以下であるか否かを判断し、カウントされた画素数の割合が所定の閾値以下である場合には、かかる画像に対する画質補正を行わないようにすることにより、数色しか使用されていないイラスト等の画質補正を必要としない入力画像に対して画質補正を行わないようにすることが可能になる。
【発明を実施するための最良の形態】
【００５９】
以下、本発明の実施の形態について、図面を参照しながら説明する。なお、ここで示す実施の形態はあくまでも一例であって、必ずしもこの実施の形態に限定されるものではない。
【００６０】
（実施の形態１）
以下に、本発明の実施の形態１による画質補正装置および画質補正方法について、図面を参照しながら説明する。
【００６１】
本発明の実施の形態１による画質補正装置および画質補正方法は、入力された画像データから文字領域を除いたイメージ領域のみの輝度ヒストグラムを作成し、該作成したイメージ領域のみの輝度ヒストグラムを用いて画質補正処理を行うものである。なお、文字領域とは、映画の字幕のように入力画像中に含まれる文字等を構成するデータの領域であり、輝度ヒストグラムを作成した際に極端な形状として現れるデータ領域をいうものとする。
【００６２】
図１は、本発明の実施の形態１による画質補正装置の構成の一例を示すブロック図である。
図１に示すように、本発明の実施の形態１による画質補正装置は、輝度色差算出部１０１と、指定画素情報記憶部１０２と、カウント判断部１０３と、輝度ヒストグラム作成部１０４と、補正量算出部１０５と、画質補正部１０６とからなる。
【００６３】
輝度色差算出部１０１は、入力画像データＲ，Ｇ，Ｂから各画素毎の輝度値および色差値を算出するものであり、算出した輝度値と色差値をカウント判断部１０３に出力する。
【００６４】
指定画素情報記憶部１０２は、輝度ヒストグラムを作成した際に極端な形状として現れるデータ領域である、文字領域を構成する画素の画素情報を記憶するメモリである。なお、ここでは、画素情報として、文字領域を構成する画素が有する輝度値および色差値が予め記憶されているものとする。
【００６５】
カウント判断部１０３は、指定画素情報記憶部１０２に記憶されている輝度値および色差値と、輝度色差算出部１０１から出力された注目画素の輝度値および色差値とが一致するか否かを判断し、一致する場合には注目画素が文字領域を構成する画素であると判断し、当該注目画素のデータを廃棄する一方で、不一致の場合には注目画素が文字領域を構成する画素でないと判断し、当該注目画素の輝度値を輝度ヒストグラム作成部１０４に出力する。
【００６６】
画像データ選別部１００は、輝度色差算出部１０１，指定画素情報記憶部１０２およびカウント判断部１０３からなり、入力画像データに対し画質補正を行う際に画質劣化を招く劣化因子データとして文字領域の画素データが含まれる場合、入力画像データから文字領域の画素データを除去するデータ選別を行う。
【００６７】
輝度ヒストグラム作成部１０４は、カウント判断部１０３から出力された輝度値から輝度ヒストグラムを作成し、補正量算出部１０５に出力する。
【００６８】
補正量算出部１０５は、輝度ヒストグラム作成部１０４で作成された輝度ヒストグラムを用いて補正量を算出し、画質補正部１０６に出力する。
【００６９】
画質補正部１０６は、補正量算出部１０５で作成された補正量に基づいて、入力画像データＲ，Ｇ，Ｂを補正し、画像出力データＲ’，Ｇ’，Ｂ’に変換する。
【００７０】
次に、本発明の実施の形態１による画質補正装置の動作について説明する。
図２は、本発明の実施の形態１による画質補正装置が行う画質補正方法の処理を説明するためのフローチャートである。なお、入力画像データＲ，Ｇ，Ｂは、何ｂｉｔでもよいが、ここでは８ｂｉｔであるものとする。
【００７１】
この図２のフローチャートはステップＳ１０１ないしＳ１０７からなり、ステップＳ１０１は輝度色差算出工程を、ステップＳ１０２ないしステップＳ１０４はカウント判断工程を、ステップＳ１００はステップＳ１０１ないしＳ１０４からなる画像データ選別工程を、ステップＳ１０５は輝度ヒストグラム作成工程を、ステップＳ１０６は補正量算出工程を、ステップＳ１０７は画質補正工程を、それぞれ構成する。
【００７２】
（ステップＳ１０１）Ｒ，Ｇ，Ｂのデジタル画像データが本発明にかかる画質補正装置に入力されると、まず、輝度色差算出部１０１にて、入力画像データＲ，Ｇ，Ｂから各画素毎の輝度値と色差値が算出される。なお、輝度値Ｙ、および色差値Ｃｒ・Ｃｂを算出するための演算式としては、例えば、［数１］〜［数３］で示すものがある。
【数１】
2005108208.tif 000003
【数２】
2005108208.tif 000004
【数３】
2005108208.tif 000005
【００７３】
なお、前述した輝度値Ｙ、および色差値Ｃｒ・Ｃｂを算出するための演算式はあくまで一例であり、例えば、輝度値ＹをＲ，Ｇ，Ｂの平均値としたり、輝度値ＹとしてＧの値を用いて［数２］，［数３］により色差値Ｃｒ・Ｃｂを求めるようにしても良い。
【００７４】
（ステップＳ１０２）次に、輝度色差算出部１０１で算出された輝度値と色差値は、カウント判断部１０３に入力され、入力された輝度値と色差値を有する注目画素が文字領域を構成する画素であるかどうかの判断が行われる。
【００７５】
具体的には、カウント判断部１０３が、輝度色差算出部１０１からの注目画素の輝度値および色差値を入力として、入力された注目画素の輝度値および色差値が、予め指定画素情報記憶部１０２に記憶されている画素情報である輝度値および色差値と一致するか否かを判断することにより行われる。
【００７６】
また、この際、カウント判断部１０３において、指定画素情報記憶部１０２に記憶された画素情報に一定の範囲を持たせるようにしてもよく、例えば、指定画素情報記憶部１０２に記憶させた画素情報が輝度値Ｙ＝１２８，色差値Ｃｒ＝３０，Ｃｂ＝５０だった場合に、カウント判断部１０３では、これらの値の±４の値である輝度値Ｙ＝１２４〜１３２、色差値Ｃｒ＝２６〜３４、Ｃｂ＝４６〜５４を文字領域を構成する画素であると判断するようにする。こうすることで、画像がぼやけている場合や、画像圧縮等により色が滲んでいるような場合でも、柔軟に文字領域の輝度値を輝度ヒストグラムから排除することが可能となる。なお、ここで用いた輝度値および色差値の範囲±４は一例であり、この数値に限ったものではなく、輝度値、色差値によって異なる範囲を持たせてもよい。また、かかる輝度値および色差値の範囲を予め指定画素情報記憶部１０２に記憶させておく構成をとってもよい。
【００７７】
（ステップＳ１０３）カウント判断部１０３による判断の結果、注目画素の輝度値および色差値と指定画素情報記憶部１０２に記憶されている輝度値および色差値とが一致し、注目画素が文字領域を構成する画素であると判断された場合には、当該文字領域を構成する画素のデータが画質補正に影響を与えることを避けるため、当該注目画素に関するデータを廃棄し、カウント判断部１０３から輝度ヒストグラム作成部１０４に当該注目画素に関する輝度値の出力を行わないようにする。
【００７８】
（ステップＳ１０４）一方で、注目画素の輝度値および色差値と指定画素情報記憶部１０２に記憶されている輝度値および色差値とが不一致で、注目画素が文字領域を構成する画素でないと判断された場合には、カウント判断部１０３から当該注目画素の輝度値が輝度ヒストグラム作成部１０４に出力される。
【００７９】
（ステップＳ１０５）輝度ヒストグラム作成部１０４では、カウント判断部１０３から出力された文字領域を構成する画素でない注目画素の輝度値を用いて、同じ輝度値を持つ画素の総和を示す輝度ヒストグラムが作成される。これにより、文字領域が含まれた画像において、文字領域を除いたイメージ領域のみの輝度ヒストグラムが作成されることとなる。
【００８０】
（ステップＳ１０６）輝度ヒストグラム作成部１０４で作成された輝度ヒストグラムは、補正量算出部１０５に入力され、補正量算出部１０５では、入力された輝度ヒストグラムを用いて補正量が算出される。なお、ここでは、補正量算出部１０５により補正曲線を作成し、後述する画質補正部１０６により当該補正曲線を用いた画質補正を行うものについて説明する。
【００８１】
補正曲線の作成方法としては、まず、輝度ヒストグラムの低輝度から順に各輝度値の頻度を累積していくことにより、輝度ヒストグラムから累積輝度分布を求め、求まった累積輝度分布の頻度を０〜２５５になるように正規化を行う。そして、かかる０〜２５５に正規化した累積輝度分布の頻度を縦軸、輝度値を横軸とする曲線を作成することにより補正曲線を得る。
【００８２】
（ステップＳ１０７）最後に、画質補正部１０６にて、補正量算出部１０５で算出した補正量を用い入力画像の画質補正を行う。なお、ここでは、補正量算出部１０５で作成された補正曲線を入力とし、補正曲線の横軸を入力データ、縦軸を出力データとして、補正曲線をＲ，Ｇ，Ｂに共通に用いて、入力画像データＲ，Ｇ，Ｂを変換していくことで入力画像の画質補正を行う。これにより、色バランスがよく階調全域にわたって階調補正された出力画像を得ることができる。
【００８３】
なお、ステップＳ１０６，ステップＳ１０７では、補正曲線を用いた画質補正について説明したが、輝度ヒストグラムを用いて入力画像の画質補正を行う手法は様々なものが考案されており、本実施の形態１で説明したもの以外の手法を用いてもよい。
【００８４】
このように、本発明の実施の形態１による画質補正装置によれば、入力された画像データから、文字領域を除いたイメージ領域のみの輝度ヒストグラムを作成し、当該輝度ヒストグラムを用いて画質補正処理を行うことにより、画像内に混入した文字による悪影響を受けない画質補正が可能となる。
【００８５】
次に、本発明の実施の形態１による画質補正装置の画質補正について図３から図５を用いて説明する。
図３は、文字が混入している画像例を示す図である。
【００８６】
この画像は全体的に暗く、文字の色は白色とする。そして、図４は図３に示す画像の全画素から作成した輝度ヒストグラムである。イメージ領域ＩＡは暗いので低輝度階調に分布が広がり、文字部分である文字領域ＣＡは白色なので高輝度階調に分布している。
【００８７】
このような画像データが入力された場合、暗い画像なので明るく補正をする必要があるが、図４に示すように、輝度ヒストグラムを見るとイメージ領域の分布ＩＤが低輝度部側に存在しているのに対し文字領域の分布ＣＤが高輝度部に広がっているため、この輝度ヒストグラムだけからでは入力画像データが暗い画像データであると判断しにくく、適切な画質補正を行うことができない。
【００８８】
そこで、本発明にかかる画質補正装置では、ヒストグラムを作成した際に極端なピークとなる文字領域の画素に関する輝度情報および色差情報を予め指定画素情報記憶部１０２に記憶しておき、カウント判断部１０３において、入力された画像データの注目画素が文字領域を構成する画素であるか否かの判断を行い、輝度ヒストグラム作成部１０４により、文字領域を構成しないイメージ領域の画素のみで輝度ヒストグラムを作成する。
【００８９】
図５は、図３に示す画像から文字領域を構成しないイメージ領域の画素のみで作成した輝度ヒストグラムであり、かかる輝度ヒストグラムに基づいて画質補正を行うことにより、イメージ領域が低輝度階調に分布していることの判断が可能となり、画像を明るくする補正を行うことが可能となる。
【００９０】
以上のように、本発明の実施の形態１による画質補正装置および画質補正方法によれば、デジタル画像から輝度ヒストグラムを作成する際、注目画素が文字領域を構成する画素かどうかの判断を行い、文字領域以外の画素の輝度値からなる輝度ヒストグラムを作成し、この輝度ヒストグラムをもとに入力画像の画質補正を行うことにより、入力画像中に、文字領域が存在する場合でも、その文字領域による影響を受けず入力画像に対し最適な補正を行った補正画像を得ることができる。
【００９１】
なお、本発明の実施の形態１では、予め指定画素情報記憶部１０２が記憶している画素情報として、輝度値および色差値が記憶されているものについて説明したが、前記画素情報として、例えば、Ｒ，Ｇ，Ｂの値を設定しておき、前述した［数１］〜［数３］を用いて輝度値と色差値を算出し、輝度色差算出部１０１から出力された注目画素の輝度値および色差値と比較するようにしてもよい。
【００９２】
また、本発明の実施の形態１では、指定画素情報記憶部１０２が予め記憶している指定色の数について、特に記載をしていなかったが、かかる指定画素情報記憶部１０２が予め記憶する指定色の数については、１つである場合に限らず、複数の指定色を記憶させておいてもよい。なお、このように複数の指定色を指定画素情報記憶部１０２に記憶させている場合には、入力画像中に複数の輝度値および色差値を有する文字領域が存在する場合であっても、当該複数の文字領域を判別することが可能となり、また、予め頻繁に使用される複数の画像情報を記憶しておくことにより、入力画像毎に画像情報の更新を行うことなく、画像情報の再設定を行う手間を省くことができる。
【００９３】
さらに、本実施の形態１では暗い画像を補正する場合を例にとって示したが、暗い画像に文字領域が存在する場合に限るものではなく、明るい画像に文字領域が存在する場合であっても同様に補正を行うことができる。
【００９４】
（実施の形態２）
以下に、本発明の実施の形態２による画質補正装置および画質補正方法について、図面を参照しながら説明する。
【００９５】
本発明の実施の形態２による画質補正装置および画質補正方法は、入力画像データから輝度ヒストグラムを作成し、作成した輝度ヒストグラムに突出した階調がある場合には、当該検出した階調を持つ輝度値から、文字領域を構成する画素として判断する輝度値および色差値を求める点において、前記実施の形態１による画質補正装置および画質補正方法と異なる。
【００９６】
図６は、本発明の実施の形態２による画質補正装置の構成の一例を示すブロック図である。
図６に示すように、本発明の実施の形態２による画質補正装置は、輝度色差算出部６０１と、輝度ヒストグラム作成部６０２と、突出階調検出部６０３と、画素情報設定部６０４と、カウント判断部６０５と、補正量算出部６０６と、画質補正部６０７とからなる。
【００９７】
輝度色差算出部６０１は、入力画像データＲ，Ｇ，Ｂから輝度値および色差値を算出するものであり、算出した輝度値と色差値を輝度ヒストグラム作成部６０２、画素情報設定部６０４、およびカウント判断部６０５に出力する。
【００９８】
輝度ヒストグラム作成部６０２は、輝度色差算出部６０１からの輝度値の出力を受けた際には、当該輝度値を用いて輝度ヒストグラムを作成し、作成した輝度ヒストグラムを突出階調検出部６０３に出力する。また、輝度ヒストグラム作成部６０２は、カウント判断部６０５からの輝度値の出力を受けた際には、当該輝度値を用いて輝度ヒストグラムを作成し、作成した輝度ヒストグラムを補正量算出部６０６に出力する。
【００９９】
突出階調検出部６０３は、輝度ヒストグラム作成部６０２からの、輝度色差算出部６０１から出力された輝度値に基づいて作成された輝度ヒストグラムを入力とし、該輝度ヒストグラム中の山状の突出した階調を検出して画素情報設定部６０４に出力する。
【０１００】
画素情報設定部６０４は、突出階調検出部６０３において検出した突出した階調の輝度値を持つ画素の色差値から、色差値の頻度が所定の閾値以上である色差値を検出し、該検出した色差値と前記突出した階調の輝度値とを文字領域を構成する画素の画素情報として設定する。
【０１０１】
画像データ選別部６００は、輝度色差算出部６０１，突出階調検出部６０３，画素情報設定部６０４およびカウント判断部６０５からなり、入力画像データに対し画質補正を行う際に画質劣化を招く劣化因子データとして文字領域の画素データが含まれる場合、入力画像データから文字領域の画素データを除去するデータ選別を行う。
【０１０２】
カウント判断部６０５は、画素情報設定部６０４で設定された輝度値および色差値と、輝度色差算出部６０１から出力された注目画素の輝度値および色差値とが一致するか否かを判断し、一致する場合には注目画素が文字領域を構成する画素であると判断し、当該注目画素のデータを廃棄する一方で、不一致の場合には注目画素が文字領域を構成する画素でないと判断し、当該注目画素の輝度値を輝度ヒストグラム作成部６０２に出力する。
【０１０３】
補正量算出部６０６は、輝度ヒストグラム作成部６０２により作成された２種類の輝度ヒストグラムの中で、突出した階調に相当する画素データを除いて作成されたもの、即ち、カウント判断部６０５から出力された輝度値に基づいて作成された輝度ヒストグラム、を用いて補正量を算出し、画質補正部６０７に出力する。
【０１０４】
画質補正部６０７は、補正量算出部６０６で算出された補正量に基づいて、入力画像データＲ，Ｇ，Ｂを補正し、画像出力データＲ’，Ｇ’，Ｂ’に変換する。
【０１０５】
次に、画素情報設定部６０４の構成についてさらに詳細に説明する。
画素情報設定部６０４は、色差ヒストグラム平面作成部６０８と、色差値検出部６０９と、設定部６１０とからなる。
【０１０６】
色差ヒストグラム平面作成部６０８は、突出階調検出部６０３において検出された突出した階調の輝度値を持つ画素の色差値から、色差値の分布と頻度を表わす色差ヒストグラム平面を作成する。
【０１０７】
色差値検出部６０９は、色差ヒストグラム平面作成部６０８で作成された色差ヒストグラム平面から色差値の頻度が所定の閾値以上である色差値を検出する。
【０１０８】
設定部６１０は、突出階調検出部６０３において検出された突出した階調の輝度値と色差値検出部６０９で検出した色差値とを文字領域を構成する画素の画素情報として設定する。
【０１０９】
次に、本発明の実施の形態２による画質補正装置の動作について説明する。
図７は、本発明の実施の形態２による画質補正装置が行う画質補正方法の処理を説明するためのフローチャートである。なお、入力画像データＲ，Ｇ，Ｂは、何ｂｉｔでもよいが、ここでは８ｂｉｔであるものとする。
【０１１０】
この図７のフローチャートはステップＳ２０１ないしＳ２１１からなり、ステップＳ２０１は輝度色差算出工程を、ステップＳ２０３は突出階調検出工程を、ステップＳ２０４は画像情報設定工程を、ステップＳ２０５，Ｓ２０６，Ｓ２０７はカウント判別工程を、ステップＳ２００はステップＳ２０１，Ｓ２０３ないしＳ２０７からなる画像データ選別工程を、ステップＳ２０８，Ｓ２０２，Ｓ２０９は輝度ヒストグラム作成工程を、ステップＳ２１０は補正量算出工程を、ステップＳ２１１は画質補正工程を、それぞれ構成する。
【０１１１】
（ステップＳ２０１）Ｒ，Ｇ，Ｂのデジタル画像データが本発明にかかる画質補正装置に入力されると、まず、輝度色差算出部６０１にて、入力画像データＲ，Ｇ，Ｂから輝度値と色差値が算出され、輝度ヒストグラム作成部６０２、画素情報設定部６０４、およびカウント判断部６０５に出力される。なお、輝度値Ｙ、および色差値Ｃｒ・Ｃｂの算出方法については、図２のステップＳ１０１で説明したものと同様であるため、ここでは説明を省略する。
【０１１２】
（ステップＳ２０２）輝度ヒストグラム作成部６０２では、輝度色差算出部６０１で算出された入力画像全画素の輝度値を用いて同じ輝度値を持つ画素の総和を示す輝度ヒストグラムが作成され、作成された輝度ヒストグラムが突出階調検出部６０３に出力される。
【０１１３】
（ステップＳ２０３）輝度ヒストグラム作成部６０２で作成された全画素の輝度ヒストグラムは、突出階調検出部６０３に入力され、突出階調検出部６０３により全画素の輝度ヒストグラムにおける突出した階調の検出が行われる。
【０１１４】
図８は、文字が混入した画像において作成した全画素の輝度ヒストグラムである。輝度ヒストグラムを作成した際に極端な形状として現れる文字は一般的に同一色からなるため、文字領域の輝度値は集中し、分布の特徴として周りの階調に比べ突出した山状の階調として現れる。従って全画素の輝度ヒストグラムを探索し、突出部である突出した階調ＰＬを検出することにより、画像中に文字が混入しているかどうかの判断をすることができるとともに、輝度ヒストグラムを作成した際に極端な形状として現れる文字が混入している場合には当該文字の輝度値を知ることが可能となる。
【０１１５】
なお、具体的な突出階調検出部６０３による突出した階調の検出方法としては、注目している階調がその両隣の諧調に対しどの程度の増加となるかで検出すればよく、より詳しくは、全画素の輝度ヒストグラムの低輝度部側から順に頻度を調べていき、隣階調の頻度に比べて所定の閾値以上の変化がある階調を突出階調として検出する。この際、突出した階調の存在の有無を判断するために用いる所定の閾値は、一定量をＴ、総画素数をＨで表わすと［数４］式で得ることができる。ｋは係数であり文字領域の大きさに応じてこのｋの値を調整すればよい。今回は一例として、ｋを０．１とする。
【数４】
2005108208.tif 000006
【０１１６】
そして、突出階調検出部６０３による突出した階調の検出の結果、突出した階調が検出された場合にはステップＳ２０４に行き、検出されなかった場合にはステップＳ２０９に行く。
【０１１７】
（ステップＳ２０４）突出階調検出部６０３において突出した階調が検出された場合には、画素情報設定部６０４において、突出階調検出部６０３において検出した突出した階調の輝度値を持つ画素の色差値から、文字領域を構成する画素の色差値を検出し、該検出した色差値と前記突出した階調の輝度値とを文字領域を構成する画素の画素情報として設定する。即ち、文字は前述したように一般に同一色からなるため、色差値においても値が集中すると考えられることから、突出階調の輝度値を持つ画素において、色差値の頻度が多い色を文字領域を構成する画素の色差値であるとして検出し、文字領域を構成する画素の画素情報として設定する。
【０１１８】
具体的には、まず、色差ヒストグラム平面作成部６０８が、突出階調検出部６０３において検出された突出した階調の輝度値を持つ画素の色差値から、図９に示すような色差値の分布と頻度を表わす色差ヒストグラム平面を作成する。なお、図９では、横軸をＣｒ値、縦軸をＣｂ値とし、各値の座標位置の頻度を取っている。
【０１１９】
そして、色差値検出部６０９が、色差ヒストグラム平面作成部６０８で作成された色差ヒストグラム平面から色差値の頻度が所定の閾値以上である色差値を検出し、設定部６１０により、突出階調検出部６０３において検出された突出した階調の輝度値と色差値検出部６０９で検出した色差値とを文字領域を構成する画素の画素情報として設定する。
【０１２０】
なお、色差値検出部６０９が用いる所定の閾値は、閾値をＴｈ、突出階調の総画素数をＨｈで表わすと［数５］式で得ることができる。なお、ｋｈは係数であり文字領域の大きさに応じてｋｈの値の調整を行えばよい。今回は一例として、ｋｈは０．２とする。
【数５】
2005108208.tif 000007
【０１２１】
（ステップＳ２０５）カウント判断部６０５では、画素情報設定部６０４で設定された輝度値および色差値と、輝度色差算出部６０１から出力される注目画素の輝度値および色差値との比較が行われ、輝度色差算出部６０１から出力された注目画素が文字領域を構成する画素であるかどうかの判断が行われる。
【０１２２】
（ステップＳ２０６）カウント判断部６０５による判断の結果、注目画素の輝度値および色差値と画素情報設定部６０４で設定された輝度値および色差値とが一致し、注目画素が文字領域を構成する画素であると判断された場合には、文字領域を構成する画素のデータが画質補正に影響を与えることを避けるため、当該注目画素に関するデータを廃棄し、カウント判断部６０５から輝度ヒストグラム作成部６０２に当該注目画素に関する輝度値の出力を行わないようにする。
【０１２３】
（ステップＳ２０７）一方で、注目画素の輝度値および色差値と画素情報設定部６０４で設定された輝度値および色差値とが一致せず、注目画素が文字領域を構成する画素でないと判断された場合には、カウント判断部６０５から当該注目画素の輝度値が輝度ヒストグラム作成部６０２に出力される。
【０１２４】
（ステップＳ２０８）輝度ヒストグラム作成部６０２では、カウント判断部６０５から出力された文字領域を構成しない画素の輝度値を用いて、同じ輝度値を持つ画素の総和を示す輝度ヒストグラムが作成され、補正量算出部６０６に出力される。
【０１２５】
（ステップＳ２０９）また一方で、ステップＳ２０３において、突出階調検出部６０３において突出した階調が検出されなかった場合には、入力画像中に文字領域を構成する画素が存在しないと判断することができるため、輝度ヒストグラム作成部６０２で作成された全画素の輝度ヒストグラムが、文字領域を有しないイメージ領域のみの輝度ヒストグラムとして補正量算出部６０６に出力される。
【０１２６】
（ステップＳ２１０）補正量算出部６０６では、入力された輝度ヒストグラムを用いて補正量が算出される。なお、補正量算出部６０６による補正量の算出については、図２のステップＳ１０６で説明したものと同様であるため、ここでは説明を省略する。
【０１２７】
（ステップＳ２１１）最後に、画質補正部６０７にて、補正量算出部６０６で算出した補正量を用いて入力画像データの補正を行う。なお、この補正方法については、図２のステップＳ１０７で説明したものと同様であるため、ここでは説明を省略する。
【０１２８】
以上のように、本発明の実施の形態２による画質補正装置および画質補正方法によれば、入力された画像データに対し全画素に関する輝度ヒストグラムを作成し、作成した輝度ヒストグラムに突出した階調がある場合には、当該検出した階調を持つ輝度値から、文字領域を構成する画素として判断する輝度値および色差値を求めることにより、画像内に混入した文字領域を構成する画素を自動的に特定し、文字領域を除いたイメージ領域のみに関する輝度ヒストグラムを作成し、当該輝度ヒストグラムを用いて画質補正処理を行うことにより、入力画像中に、文字領域が存在する場合でも、その文字領域による影響を受けず入力画像に対し最適な補正を行った補正画像を得ることができる。
【０１２９】
なお、本発明にかかる画質補正部では、図１０に示すように、本実施の形態２にかかる画質補正装置に、実施の形態１で前述した指定画素情報記憶部１０２をさらに設ける構成としてもよく、予め文字領域を構成する画素の輝度値および色差値がわかっている場合には、当該文字領域を構成する画素の輝度値および色差値を予め指定画素情報記憶部１０２に記憶しておき、カウント判断部６０５が、画素情報設定部６０４に設定された輝度値および色差値、および指定画素情報記憶部１０２に予め記憶された輝度値および色差値に基づいて、注目画素が文字領域を構成する画素であるか否かの判断を行うようにしても良く、こうすることで、少なくとも予め文字領域を構成する画素とわかっている画素については、カウント判断部６０５により文字領域を構成する画素であるとの判断が行われるため、画素情報設定部６０４における文字領域を構成する画素の設定漏れに起因する、画質補正精度の低下を防ぐことができる。
【０１３０】
（実施の形態３）
次に、本発明の実施の形態３として、前記実施の形態２で説明した画素情報設定部６０４の処理の変形例について説明する。
【０１３１】
本発明の実施の形態３による画素情報設定部６０４は、前記実施の形態２で説明した画素情報設定部６０４の色差値検出部６０９が、図１１に示すように、色差ヒストグラム平面作成部６０８で作成された色差ヒストグラム平面を所定の間隔で分割し、該分割した領域ＤＡ内の色差値の頻度から算出した代表値が所定の閾値以上であるか否かを判断して、所定の閾値以上の代表値を有する前記分割した領域内の色差値を検出するものである。なお、色差ヒストグラム平面を分割する前記所定の間隔は、入力画像中に含まれる文字領域の大きさに応じて調整すればよく、今回は一例として３としている。また、前記代表値として算出される値としては、例えば、分割された領域内の中心に位置する色差値の頻度の他、分割された領域内の色差値の頻度の総和等を用いることができる。また、色差値検出部６０９が用いる所定の閾値は、図７のステップＳ２０４で説明したものと同様であるため、ここでは説明を省略する。
【０１３２】
このように、本発明の実施の形態３による画質補正装置および画質補正方法によれば、画素情報設定部の色差値検出部が、色差ヒストグラム平面作成部で作成された色差ヒストグラム平面を所定の間隔で分割し、該分割した領域内の色差値の頻度から算出した代表値が所定の閾値以上であるか否かを判断して、所定の閾値以上の代表値を有する前記分割した領域内の色差値を検出することにより、画像がぼやけたり圧縮などにより色が滲んでいても、柔軟に文字領域の色差値を算出することが可能となる。
【０１３３】
（実施の形態４）
次に、本発明の実施の形態４として、前記実施の形態２で説明した画素情報設定部６０４の処理と併せて行う、画素情報設定部６０４の文字領域を構成する画素の特定処理について説明する。
【０１３４】
文字は、前述したように同一色からなっているため色差平面上の領域は狭くなるはずである。そのため、画素情報設定部６０４の色差値検出部６０９は、色差値の頻度が所定の閾値以上である色差値が、色差ヒストグラム平面作成部６０８で作成された色差ヒストグラム平面上で繋がった領域を形成する際には、当該色差ヒストグラム平面上の繋がった領域の面積の、色差値の全分布面積に対する割合が所定の閾値以上であるか否かを判断し、繋がった領域の面積の割合が所定の閾値以上である場合にはイメージ領域であると判断して、当該領域内の色差値を文字領域を構成する画素の色差値として検出しないようにする。なお、色差値検出部６０９が用いる所定の閾値は、入力画像中に含まれる文字領域の大きさに応じて調整すればよく、ここでは一例として、色差ヒストグラム平面上の色差値の全分布面積に対して５％であるものとする。
【０１３５】
このように、本発明の実施の形態４による画質補正装置および画質補正方法によれば、画素情報設定部の色差値検出部が、当該色差ヒストグラム平面上の繋がった領域の面積の、色差値の全分布面積に対する割合が所定の閾値以上であるか否かを判断し、前記繋がった領域の面積の割合が所定の閾値以上である場合には、当該領域内の色差値を文字領域を構成する画素の色差値として検出しないようにしたことにより、空のような単一色でグラデーションがかかっている映像等を文字領域を構成する画素と誤って検出することを防止することができ、画素情報設定部における文字領域を構成する画素の設定精度を向上させることができる。
【０１３６】
（実施の形態５）
次に、本発明の実施の形態５として、前記実施の形態２で説明した画素情報設定部６０４の処理と併せて行う、画素情報設定部６０４の文字領域を構成する画素の特定処理について説明する。
【０１３７】
本発明の実施の形態５で説明する画素情報設定部６０４の文字領域を構成する画素の設定方式は、前記実施の形態２で説明した画素情報設定部６０４の文字領域を構成する画素の設定方式に加え、さらに、輝度値と色差値が所定の基準値から一定以上離れている画素のみを文字領域を構成する画素として設定するものである。
【０１３８】
文字は、画面上に表示された際にイメージとはっきり区別するため、イメージ領域の色と同一にならないように設定されていることが多く、一般に、文字を構成する画素には、輝度値、色差値ともに輝度値、色差値の中央レベルから離れた色が設定されている。なお、ここでは、入力画像データＲ,Ｇ,Ｂが８ビットであるため、例えば、真っ白（（Ｒ,Ｇ,Ｂ）＝（２５５,２５５,２５５）），真っ黒（（Ｒ,Ｇ,Ｂ）＝（０,０,０））といった輝度レベルが最大，最小な色、または真っ赤（（Ｒ,Ｇ,Ｂ）＝（２５５,０,０）），真っ青（（Ｒ,Ｇ,Ｂ）＝（０,０,２５５））といった彩度が大きい色などが文字領域を構成する画素として設定されることが多い。
【０１３９】
そのため、画素情報設定部６０４の設定部６１０が、突出階調検出部６０３で検出された突出した階調の輝度値、或いは色差値検出部６０９で検出した色差値が、輝度値および色差値の各々に対して設けられた所定の基準値から一定の閾値以上離れているか否かを判断し、前記輝度値或いは色差値の何れか一方が、所定の基準値から一定以上離れている場合にのみ、当該輝度値と色差値を文字領域を構成する画素の画素情報として設定するようにする。
【０１４０】
即ち、画素情報設定部６０４の設定部６１０において、輝度値および色差値のそれぞれに対する所定の基準値を輝度値および色差値の中央レベルとし、下記の［６］式,［７］式のどちらかの条件を満たす場合、当該画素データの輝度値および色差値を文字領域を構成する画素として設定する。なお、所定の基準値は、例えば、入力画像データＲ,Ｇ,Ｂが８ビットである場合には、輝度値の基準値をＹ＝１２８、色差値の基準値をＣｒ＝０,Ｃｂ＝０となる。また、Ｔｈ１とＴｈ２は輝度値Ｙと色差値Ｃｒ,Ｃｂが所定の基準値から一定以上離れているか否かを判断するための閾値であり、今回は一例として、Ｔｈ１＝１１０,Ｔｈ２＝１５０とする。なお、これを図示したものが図１２,図１３であり、図中のイメージ色領域ＩＣＡの外側が文字色領域ＣＣＡとなる。また、図中の座標ＰＷ，ＰＢＫ，ＰＢ，ＰＲはそれぞれ真っ白，真っ黒，真っ青，真っ赤な色を表す。
【数６】
2005108208.tif 000008
【数７】
2005108208.tif 000009
【０１４１】
このように、本発明の実施の形態５による画質補正装置および画質補正方法によれば、画素情報設定部６０４の設定部６１０が、注目画素の輝度値および色差値の何れか一方が、輝度値および色差値に対する所定の基準値から一定以上離れているか否かを判断し、前記輝度値或いは色差値の何れか一方が、所定の基準値から一定以上離れている場合にのみ、当該輝度値と色差値を文字領域を構成する画素の画素情報として設定することにより、文字領域を構成しない画素を誤って検出することを防止でき、画素情報設定部における文字領域を構成する画素の設定精度を向上させることができる。
【０１４２】
なお、本発明の実施の形態５では、画素情報設定部６０４の設定部６１０による文字領域を構成する画素の特定処理を、前記実施の形態２で説明した画素情報設定部６０４の処理と併せて行うものについて説明したが、これに限定されず、前記実施の形態３、或いは４で説明した画素情報設定部６０４の処理と併せて行っても良い。
【０１４３】
（実施の形態６）
以下に、本発明の実施の形態６による画質補正装置および画質補正方法について、図面を参照しながら説明する。なお、本発明の実施の形態６による画質補正装置および画質補正方法は、入力画像データから輝度ヒストグラム作成部６０２が作成した輝度ヒストグラムの総頻度が一定以下である場合には、入力画像データの画質補正を行わないようにするものである。
【０１４４】
図１４は、本発明の実施の形態６による画質補正装置の構成の一例を示すブロック図である。
図１４に示すように、本発明の実施の形態６による画質補正装置は、輝度色差算出部６０１と、輝度ヒストグラム作成部６０２と、突出階調検出部６０３と、画素情報設定部６０４と、カウント判断部６０５と、補正量算出部６０６と、画質補正部６０７と、総頻度判断部１３０１とからなる。なお、本発明の実施の形態６による画質補正装置において、前述した本発明の実施の形態２による画質補正装置と同様の構成要素については、同じ符号を付し、ここでは説明を省略する。
【０１４５】
一般に、入力された画像が数色しか使用されていないイラスト等の画像である場合には、入力画像の画質の補正を行うことを必要とせず、画質補正を行った場合にはかえって画質が劣化してしまう。
【０１４６】
そこで、本発明の実施の形態６による画質補正装置では、本発明の実施の形態２による画質補正装置に、さらに総頻度判断部１３０１を設け、入力された画像データの総画素数に対して、カウント判断部６０５から出力される輝度値を有する画素の画素数の割合が所定の閾値以下の場合には、入力画像データの画質の補正を行わないようにする。
【０１４７】
即ち、総頻度判断部１３０１は、カウント判断部６０５から出力される輝度値を有する画素の画素数をカウントするとともに、当該画素数の入力画像データの総画素数に対する割合が所定の閾値以下の場合には、入力画像データが数色しか使用されていないイラスト等の画像等であると判断し、入力画像の補正を行わない旨の信号を画質補正部６０７に出力するようにして画質補正部６０７において入力された画像の補正を行わないようにする。なお、総頻度判断部１３０１が用いる所定の閾値は、入力画像中に含まれる文字領域の大きさに応じて調整すればよく、ここでは一例として、総画素数に対するカウント判断部６０５からの出力画素数の割合が８０％であるものとする。
【０１４８】
このように、本発明の実施の形態６による画質補正装置および画質補正方法によれば、総頻度判断部１３０１が、カウント判断部６０５から出力される輝度値を有する画素の画素数をカウントするとともに、入力画像データの総画素数に対して前記カウントされた画素数の割合が所定の閾値以下であるか否かを判断し、カウントされた画素数の割合が所定の閾値以下である場合には、かかる画像に対する画質補正を行わないようにすることにより、数色しか使用されていないイラスト等の画質補正を必要としない入力画像に対して画質補正を行わないようにすることが可能になる。
【０１４９】
なお、本発明の実施の形態６では、入力画像の補正を行わない旨の信号を画質補正部６０７に出力するようにするものについて説明したが、入力画像の補正を行わない旨の信号を補正量算出部６０６に出力し、補正量算出部６０６において、補正曲線をリニアに設定し補正がかからないようにしてもよい。
【０１５０】
また、本発明の実施の形態６では、本発明の実施の形態２で説明した画質補正装置に総頻度判断部を設けるものについて説明したが、本発明の実施の形態１による画質補正装置に総頻度判断部を設けてもよく、同様に、入力された画像に数色しか使用されていない場合への対応が可能となる。
【０１５１】
また、本発明の各実施の形態では、文字領域として、入力画像中に含まれる文字等を構成するデータの領域を例にあげたが、指定画素情報記憶部１０２に文字領域の画素情報として設定される画素情報は、輝度ヒストグラムを作成した際に極端な形状として現れるデータ領域の情報であれば何でもよく、例えば、画面サイズに応じて映像の上下もしくは左右に入る黒帯の画素情報等を設定してもよい。こうすることにより、黒帯に対して起こる同様の課題に対しても文字領域に対するのと同じ構成で同様の効果を得ることができる。
【０１５２】
また、本発明の各実施の形態では、画質補正装置がハードウエアであるとして説明を行ったが、ブロック図あるいはフローチャートの処理に対応する画質補正方法をコンピュータ等により実行することで画質補正を実行するようにしてもよい。
【０１５３】
また、この画質補正方法を記述したプログラムを通信回線等を介して伝送する等により、あるいはプログラム記録媒体に収録する等により提供してもよい。
さらに、本発明の各実施の形態では、画質補正に関して説明したが、ヒストグラムを用いて行う補正であれば、画質補正以外の各種デジタル信号処理に適用するようにしてもよい。
【産業上の利用可能性】
【０１５４】
本発明にかかる画質補正装置および画質補正方法は、入力画像内に画質補正処理に対し悪影響を及ぼす情報、例えば文字が混入していても、文字による影響を受けず入力画像に対し最適な補正を行うことができ、映像に字幕が入るＤＶＤプレイヤー等あらゆる映像機器の画質補正処理に有用である。
【図面の簡単な説明】
【０１５５】
【図１】本発明の実施の形態１による画質補正装置の構成の一例を示すブロック図である。
【図２】本発明の実施の形態１による画質補正装置が行う画質補正方法の処理を説明するためのフローチャートを示す図である。
【図３】文字が混入している画像例を示す図である。
【図４】図３に示す画像の輝度ヒストグラムを示す図である。
【図５】図３に示す画像から文字領域を構成しないイメージ領域の画素のみで作成した輝度ヒストグラムを示す図である。
【図６】本発明の実施の形態２による画質補正装置の構成の一例を示すブロック図である。
【図７】本発明の実施の形態２による画質補正装置が行う画質補正方法の処理を説明するためのフローチャートを示す図である。
【図８】文字が混入した画像において作成した全画素の輝度ヒストグラムを示す図である。
【図９】色差値の分布と頻度を表わす色差ヒストグラム平面図である。
【図１０】本発明の実施の形態２による画質補正装置の構成の変形例を示すブロック図である。
【図１１】色差値の分布と頻度を表わす色差ヒストグラム平面図を所定の間隔で分割した図である。
【図１２】文字で使用される色領域を示すＹ色差空間図
【図１３】文字で使用される色領域を示す色差空間図
【図１４】本発明の実施の形態６による画質補正装置の構成の一例を示すブロック図である。
【図１５】従来の画質補正装置のブロック図である。
【符号の説明】
【０１５６】
１００，６００  画像データ選別部
１０１，６０１  輝度色差算出部
１０２  指定画素情報記憶部
１０３，６０５  カウント判断部
１０４，６０２  輝度ヒストグラム作成部
１０５，６０６  補正量算出部
１０６，６０７  画質補正部
６０３  突出階調検出部
６０４  画素情報設定部
６０８  色差ヒストグラム平面作成部
６０９  色差値検出部
６１０  設定部
１４０１  撮像素子
１４０２  Ａ／Ｄコンバータ
１４０３  輝度信号算出回路
１４０４  輝度ヒストグラム作成回路
１４０５  補正量算出回路
１４０６  画質補正回路
１４０７  重心算出回路
１４０８  分布範囲算出回路
１４０９  目標値記憶回路
１４１０  補正テーブル作成回路
Ｓ１００  画像データ選別工程に相当するステップ
Ｓ１０１  輝度色差算出工程に相当するステップ
Ｓ１０２  カウント判断工程に相当するステップ
Ｓ１０３  カウント判断工程に相当するステップ
Ｓ１０４  カウント判断工程に相当するステップ
Ｓ１０５  輝度ヒストグラム作成工程に相当するステップ
Ｓ１０６  補正量算出工程に相当するステップ
Ｓ１０７  画質補正工程に相当するステップ
Ｓ２００  画像データ選別工程に相当するステップ
Ｓ２０１  輝度色差算出工程に相当するステップ
Ｓ２０２  輝度ヒストグラム作成工程に相当するステップ
Ｓ２０３  突出階調検出工程に相当するステップ
Ｓ２０４  画素情報設定工程に相当するステップ
Ｓ２０５  カウント判断工程に相当するステップ
Ｓ２０６  カウント判断工程に相当するステップ
Ｓ２０７  カウント判断工程に相当するステップ
Ｓ２０８  輝度ヒストグラム作成工程に相当するステップ
Ｓ２０９  輝度ヒストグラム作成工程に相当するステップ
Ｓ２１０  補正量算出工程に相当するステップ
Ｓ２１１  画質補正工程に相当するステップ
【図１】
2005108208.tif 000010
【図２】
2005108208.tif 000011
【図３】
2005108208.tif 000012
【図４】
2005108208.tif 000013
【図５】
2005108208.tif 000014
【図６】
2005108208.tif 000015
【図７】
2005108208.tif 000016
【図８】
2005108208.tif 000017
【図９】
2005108208.tif 000018
【図１０】
2005108208.tif 000019
【図１１】
2005108208.tif 000020
【図１２】
2005108208.tif 000021
【図１３】
2005108208.tif 000022
【図１４】
2005108208.tif 000023
【図１５】
2005108208.tif 000024